(57)【要約】      （修正有）【課題】使用者が外観を変化させて楽しむことが可能であると共に、使用者が手にして遊ぶ場合であっても、興趣に富む玩具を提供する。【解決手段】変形可能に形成された袋状本体部と、袋状本体部の開口部の周縁部に固定され、袋状本体部内に収納可能に形成されると共に内部に空隙部を有する変形可能なパペット部と、袋状本体部内とパペット部内とを移動可能な所定量の細粒体とを備え、パペット部は、袋状本体部内に細粒体と共に収納される。パペット部を開口部を介して袋状本体部から取り出し、袋状本体部内の細粒体をパペット部へ移動させ、袋状本体部をパペット部の空隙部内へ挿入させ、袋状本体部の開口部から手を差し入れることによりパペット部を操作できるように構成されている。【選択図】図２
0003173811.tif 000002
【実用新案登録請求の範囲】
【請求項１】
変形可能に形成された袋状本体部と、上記袋状本体部の開口部の周縁部に固定され、上記袋状本体部内に収納可能に形成されると共に内部に空隙部を有する変形可能なパペット部と、上記袋状本体部内と上記パペット部内とを移動可能な所定量の細粒体とを備え、
上記パペット部は、上記袋状本体部内に細粒体と共に収納される一方、
上記パペット部を上記開口部を介して上記袋状本体部から取り出し、上記袋状本体部内の細粒体を上記パペット部へ移動させると共に上記袋状本体部を上記パペット部の上記空隙部内へ挿入させ、上記袋状本体部の上記開口部から手を差し入れることにより上記パペット部を操作できるように構成されていることを特徴とする玩具。
【請求項２】
上記袋状本体部及び上記パペット部は布製であって、上記袋状本体部は全体円筒状に形成されていることを特徴とする請求項１記載の玩具。
【請求項３】
上記パペット部は動物の形状を模して形成されていることを特徴とする請求項２記載の玩具。
【請求項４】
上記パペット部には、指の挿入部が形成されていることを特徴とする請求項３記載の玩具。
【請求項５】
上記細粒体は、上記袋状本体部内に位置する場合には上記袋状本体部の錘となると共に上記パペット部内に配置されている場合には上記パペット部を形成する芯材となることを特徴とする請求項１、２、３または４のいずれか１項に記載の玩具。
【請求項６】
上記袋状本体部の周縁部には広告部が形成されていることを特徴とする請求項２、３、４又は５のいずれか１項に記載の玩具。
【考案の詳細な説明】
【技術分野】
【０００１】
本考案は、玩具に係り、特に、外観を変化させることができる玩具に関する。
【背景技術】
【０００２】
従来、一つの縫いぐるみで二つの意匠を現すことができる縫いぐるみとして、実開平６−６６７８３号公報（特許文献１）に開示された縫いぐるみが知られている。
【０００３】
上記特許文献１に開示された縫いぐるみは、動物等を模したキャラクタ部とサッカーボール等を模した球状体部とにより構成され、上記キャラクタ部の背部、および上記球状体部の一部には、開口部が設けられており、上記キャラクタ部と上記球状体部とは共に袋状に形成されている。
【０００４】
上記キャラクタ部の背部、および上記球状体部の一部に設けられた上記開口部は、互いに縫合され、上記キャラクタおよび上記球状体の一方が表に出されているとき、他方が一方の内部に収納されるように形成されている。
【０００５】
したがって、上記縫いぐるみは、上記キャラクタ部と上記球状体部とをリバーシブルで表に出すことができ、上記キャラクタ部および上記球状体部の二つの意匠を一つの上記縫いぐるみで現すことができ、上記キャラクタ部と上記球状体部の２種類の意匠を観賞して楽しむことができる。
【０００６】
しかしながら、幼児等が上記縫いぐるみを使用して遊ぶ場合には、上記球状体部を表にしてボール遊びに使用することは可能であるが、上記縫いぐるみを手にして遊ぶ場合には、上記縫いぐるみを操作して、上記縫いぐるみが動作しているように見せることはできず、興趣に欠けるという不具合があった。
【特許文献１】実開平６−６６７８３号公報
【考案の開示】
【考案が解決しようとする課題】
【０００７】
そこで、本考案の課題は、使用者が外観を変化させて楽しむことが可能であると共に、使用者が手にして遊ぶ場合であっても、興趣に富む玩具を提供することにある。
【課題を解決するための手段】
【０００８】
上記課題を解決するため、請求項１の考案に係る玩具は、変形可能に形成された袋状本体部と、上記袋状本体部の開口部の周縁部に固定され、上記袋状本体部内に収納可能に形成されると共に内部に空隙部を有する変形可能なパペット部と、上記袋状本体部内と上記パペット部内とを移動可能な所定量の細粒体とを備え、上記パペット部は、上記袋状本体部内に細粒体と共に収納される一方、上記パペット部を上記開口部を介して上記袋状本体部から取り出し、上記袋状本体部内の細粒体を上記パペット部へ移動させると共に上記袋状本体部を上記パペット部の上記空隙部内へ挿入させ、上記袋状本体部の上記開口部から手を差し入れることにより上記パペット部を操作できるように構成されていることを特徴とする。
【０００９】
従って、請求項１の考案に係る玩具は、変形可能に形成された袋状本体部と、上記袋状本体部の開口部の周縁部に固定され、上記袋状本体部内に収納可能に形成されると共に内部に空隙部を有する変形可能なパペット部と、上記袋状本体部内と上記パペット部内とを移動可能な所定量の細粒体とを備え、上記パペット部は、上記袋状本体部内に細粒体と共に収納されることから、上記パペット部は上記袋状本体部内に収納可能であり、上記パペット部を上記袋状本体部内に収納することにより、上記パペット部および上記細粒体が共に上記袋状本体部内に収納され、請求項１の考案に係る玩具の外観を、上記袋状本体部の外観とすることができる。
【００１０】
また、請求項１の考案に係る玩具は、上記パペット部を上記開口部を介して上記袋状本体部から取り出し、上記袋状本体部内の細粒体を上記パペット部へ移動させると共に上記袋状本体部を上記パペット部の上記空隙部内へ挿入させ、上記袋状本体部の上記開口部から手を差し入れることにより上記パペット部を操作できるように構成されていることから、上記パペット部を、上記開口部を介して上記袋状本体部から取り出し、上記袋状本体部内の細粒体を上記パペット部へ移動させると共に上記袋状本体部を上記パペット部の上記空隙部内へ挿入させることにより、上記パペット部の上記空隙部内に、上記袋状本体部および上記細粒体が収納され、請求項１の考案に係る玩具を、上記パペット部の外観とすることができ、また、上記袋状本体部の上記開口部から手を差し入れることにより上記パペット部を操作することができる。
【００１１】
請求項２の考案に係る玩具は、上記袋状本体部及び上記パペット部は布製であって、上記袋状本体部は全体円筒状に形成されていることを特徴とする。
【００１２】
従って、上記袋状本体部及び上記パペット部は布製であって、上記袋状本体部は全体円筒状に形成されていることから、上記布製の袋状本体部及び上記パペット部を形成することができる。
【００１３】
請求項３の考案に係る玩具は、上記パペット部は動物の形状を模して形成されていることを特徴とする。
【００１４】
従って、上記パペット部は動物の形状を模して形成されていることから、上記パペット部の外観にした場合には、上記動物の形状を模した外観となる。
【００１５】
請求項４の考案に係る玩具は、上記パペット部には、指の挿入部が形成されていることを特徴とする。
【００１６】
従って、上記パペット部には、指の挿入部が形成されていることから、上記挿入部に指を挿入し、上記パペット部を操作することができる。
【００１７】
請求項５の考案に係る玩具は、上記細粒体は、上記袋状本体部内に位置する場合には上記袋状本体部の錘となると共に上記パペット部内に配置されている場合には上記パペット部を形成する芯材となることを特徴とする。
【００１８】
従って、上記細粒体は、上記袋状本体部内に位置する場合には上記袋状本体部の錘となると共に上記パペット部内に配置されている場合には上記パペット部を形成する芯材となることから、上記細粒体は、上記袋状本体部の外観の場合には錘となり、また、上記パペット部の外観の場合には、パペット部を形成する芯材となる。
【００１９】
請求項６の考案に係る玩具は、上記袋状本体部の周縁部には広告部が形成されていることを特徴とする。
【００２０】
従って、上記袋状本体部の周縁部には広告部が形成されていることから、上記広告部に広告を掲示できる。
【考案の効果】
【００２１】
請求項１の考案に係る玩具は、上記パペット部は上記袋状本体部内に収納可能であり、上記パペット部を上記袋状本体部内に収納することにより、上記パペット部および上記細粒体が共に上記袋状本体部内に収納され、請求項１の考案に係る玩具の外観を、上記袋状本体部の外観とすることができる。
【００２２】
また、上記パペット部を、上記開口部を介して上記袋状本体部から取り出し、上記袋状本体部内の細粒体を上記パペット部へ移動させると共に上記袋状本体部を上記パペット部の上記空隙部内へ挿入させることにより、上記パペット部の上記空隙部内に、上記袋状本体部および上記細粒体が収納され、請求項１の考案にかかる玩具の外観を、上記パペット部の外観とすることができる。
【００２３】
したがって、請求項１の考案に係る玩具は、上記袋状本体部の外観、または上記パペット部の外観に変更することが可能であり、上記袋状本体部および上記パペット部の外観を変化させて楽しむことが可能である
【００２４】
また、請求項１の考案に係る玩具は、上記パペット部の外観とした場合には、上記袋状本体部の上記開口部から手を差し入れることにより上記パペット部を操作することができ、その結果、上記パペット部を操作して、上記パペット部が動作しているように見せることができ、手にして遊ぶ場合であっても、興趣に富む。
【００２５】
また、請求項１の考案に係る玩具は、上記袋状本体部内と上記パペット部内とを移動可能な所定量の細粒体とを備えていることから、上記袋状本体部の外観および、上記パペット部の外観のいずれを選択した場合であっても、上記袋状本体部内、または、上記パペット部の上記空隙部内に上記細粒体が収納され、その結果、請求項１の考案に係る玩具を把持した場合には、上記細粒体が滑らかに移動することにより、柔軟で良好な感触が得られる。
【００２６】
請求項２の考案にかかる玩具は、上記袋状本体部及び上記パペット部は布製であることから、良好な手触りが得られる。
【００２７】
請求項３の考案にかかる玩具は、上記パペット部の外観にした場合には、上記動物の形状を模した外観となることから、幼児が使用する場合には、幼児の興味を引き出すことができ、興趣をさらに増大させることができる。
【００２８】
請求項４の考案にかかる玩具は、上記パペット部には、指の挿入部が形成されていることから、上記挿入部に指を挿入し、上記パペット部を操作することができ、その結果、上記パペット部を使用者の指の動きに連動させて操作することができ、上記パペット部をより細やかに動かすことができる。
【００２９】
請求項５の考案にかかる玩具は、上記細粒体は、上記袋状本体部の外観の場合には錘となり、また、上記パペット部の外観の場合には、パペット部を形成する芯材となり、その結果、上記袋状本体部の外観の場合には安定して置くことができ、また、上記パペット部の外観の場合には、パペット部の形状を維持した状態でパペット部を操作し、遊ぶことができる。
【００３０】
請求項６の考案にかかる玩具は、上記広告部に広告を掲示することができることから、上記広告部に広告を掲示することにより、広告物または販促物として使用することができる。
【図面の簡単な説明】
【００３１】
【図１】本考案に係る玩具の一実施の形態における玩具の袋状本体部にパペット部を収納した状態を示す斜視図である。
【図２】本考案に係る玩具の一実施の形態における玩具の袋状本体部からパペット部を取り出した状態を示す正面図である。
【図３】本考案に係る玩具の一実施の形態における玩具の袋状本体部の細粒体をパペット部へ移動させた状態を示す正面図である。
【図４】本考案に係る玩具の一実施の形態における玩具のパペット部を操作する状態を示す斜視図である。
【考案を実施するための最良の形態】
【００３２】
以下、添付図面に示す実施の形態に基づき、本考案を詳細に説明する。
【００３３】
図２に示すように、本実施の形態に係る玩具１０は、変形可能に形成された袋状本体部１１と、上記袋状本体部１１の開口部１２の周縁部１３に固定され、上記袋状本体部１１内に収納可能に形成されると共に内部に空隙部（図示せず）を有する変形可能なパペット部１４と、上記袋状本体部１１内と上記パペット部１４内とを移動可能な所定量の細粒体としてビーズ（図示せず）とを備える。
【００３４】
図１に示すように、上記パペット部１４は、上記袋状本体部１１内にビーズと共に収納される一方、図２に示すように、上記パペット部１４を上記開口部１２を介して上記袋状本体部１１から取り出し、図３に示すように、上記袋状本体部１１内のビーズを上記パペット部１４へ移動させると共に、図４に示すように、上記袋状本体部１１を上記パペット部１４の上記空隙部内へ挿入させ、袋状本体部１１の開口部１２から手を差し入れることにより上記パペット部１４を操作できるように構成されている。
【００３５】
上記袋状本体部１１及び上記パペット部１４は布製であって、上記袋状本体部１１は全体円筒状に形成されている。
【００３６】
図４に示すように、上記パペット部１４は動物である牛の形状を模して形成されている。
【００３７】
図４に示すように、上記パペット部１４には、指の挿入部１５ａ、１５ｂが形成されている
【００３８】
上記ビーズは、図１に示すように、上記袋状本体部１１内に位置する場合には袋状本体部１１の錘となると共に、図４に示すように、上記パペット部１４内に配置されている場合にはパペット部１４を形成する芯材となる。
【００３９】
図１に示すように、上記袋状本体部１１の周縁部１６には広告部１７が形成されている。
【００４０】
また、上記袋状本体部１１は、牛乳瓶の形状を模して形成されている。
【００４１】
図３に示すように、上記袋状本体部１１の下端部１８の両端部１９ａ、１９ｂには、使用者の指を挿入する開口部２０ａ、２０ｂが設けられた袋状の指挿入孔部２１ａ、２１ｂが設けられている。
【００４２】
以下、本実施の形態に係る玩具１０の作用について説明する
【００４３】
図１に示すように、上記玩具１０は、上記パペット部１４を上記袋状本体部１１部内に収納することにより、上記パペット部１４および上記ビーズが共に上記袋状本体部１１内に収納され、上記玩具１０の外観を、上記袋状本体部１１の牛乳瓶を模した外観とすることができる。
【００４４】
また、図２に示すように、上記パペット部１４を、上記開口部１２を介して上記袋状本体部１１から取り出し、図３に示すように、上記玩具１０を上下逆転させ、上記袋状本体部１１内のビーズを上記パペット部１４へ移動させると共に上記袋状本体部１１を上記パペット部１４の上記空隙部内へ挿入させることにより、図４に示すように、上記パペット部１４の上記空隙部内に、上記袋状本体部１１および上記ビーズが収納され上記玩具１０の外観を、上記パペット部１４の牛を模した外観とすることができる。
【００４５】
したがって上記玩具１０は、上記袋状本体部１１の牛乳瓶を模した外観、または上記パペット部１４の牛を模した外観に変更することが可能であり、上記玩具１０の外観を上記袋状本体部１１の牛乳瓶を模した外観、および上記パペット部１４の牛を模した外観に変化させて楽しむことが可能である。
【００４６】
また、図４に示すように、上記玩具１０は、上記パペット部１４の牛を模した外観にした場合には、上記袋状本体部１１の上記開口部１２から手を差し入れることにより上記パペット部１４を操作することができる。
【００４７】
したがって、上記パペット部１４を操作して、上記パペット部１４の牛が動作しているように見せることができ、手にして遊ぶ場合であっても、興趣に富む。
【００４８】
また、上記玩具１０は、上記袋状本体部１１内と上記パペット部１４内とを移動可能な所定量のビーズとを備えていることから、上記袋状本体部１１の外観および、上記パペット部１４の外観のいずれを選択した場合であっても、上記袋状本体部１１内、または、上記パペット１４部の上記空隙部内に上記ビーズが収納され、上記玩具１０を把持した場合には、上記ビーズが滑らかに移動することにより、柔軟で良好な感触が得られる。
【００４９】
また、上記袋状本体部１１及び上記パペット部１４は布製であることから、良好な手触りが得られる。
【００５０】
また、上記玩具１０を上記パペット部の牛を模した外観にした場合には、上記玩具１０の外観が動物を模した外観となることから、幼児が使用する場合には、幼児の興味を引き出すことができ、興趣をさらに増大させることができる。
【００５１】
図３および図４に示すように、上記パペット部１４には、指の挿入部１５ａ、１５ｂが形成されていることから、上記挿入部１５ａ、１５ｂに使用者の指を挿入し、上記パペット部１４を操作することができる。
【００５２】
したがって、上記パペット部１４を使用者の指の動きに連動させて操作することができ、上記パペット部１４をより細やかに動かすことができる。
【００５３】
図１に示すように上記ビーズは、上記袋状本体部１１の牛乳瓶を模した外観とする場合には錘となり、また、上記パペット部１４の牛を模した外観とする場合には、パペット部１４を形成する芯材となる。
【００５４】
したがって、上記袋状本体部１１の牛乳瓶を模した外観とする場合には安定して置くことができ、また、上記パペット部１４の牛を模した外観とする場合には、パペット部１４の牛を模した形状を維持した状態でパペット部１４を操作し、遊ぶことができる。
【００５５】
また、図１に示すように、上記玩具１０は、上記広告部１７に広告を掲示することができることから、上記広告部１７に広告を掲示することにより、上記玩具１０を広告物または販促物として使用することができる。
【００５６】
図３に示すように、上記玩具１０は、上記袋状本体部１１の下端部１８の両端部１９ａ、１９ｂには、使用者の指を挿入する上記開口部２０ａ、２０ｂが設けられた袋状の上記指挿入孔部２１ａ、２１ｂが設けられていることから、上記開口部２０ａ、２０ｂから上記指挿入孔部２１ａ、２１ｂに、使用者の指を挿入することができる。
【００５７】
したがって、図４に示すように、上記袋状本体部１１内のビーズを上記パペット部１４へ移動させると共に上記袋状本体部１１を上記パペット部１４の上記空隙部内へ挿入させた場合には、上記指挿入孔部２１ａ、２１ｂに使用者の指を挿入し、上記指挿入孔部２１ａ、２１ｂを上記挿入部１５ａ、１５ｂ内に配置することにより、使用者の指が上記挿入部１５ａ、１５ｂ内に確実に配置され、上記パペット部１４をより細やかに動作させることができる。
【産業上の利用可能性】
【００５８】
本考案は、玩具に適用可能であり、産業上の利用可能性を有している。
【符号の説明】
【００５９】
１０    玩具
１１    袋状本体部
１２    開口部
１３    周縁部
１４    パペット部
１５ａ  挿入部
１５ｂ  挿入部
１６    周縁部
１７    広告部
１８    下端部
１９ａ  端部
１９ｂ  端部
２０ａ  開口部
２０ｂ  開口部
２１ａ  指挿入孔部
２１ｂ  指挿入孔部
【図１】
0003173811.tif 000003
【図２】
0003173811.tif 000004
【図３】
0003173811.tif 000005
【図４】
0003173811.tif 000006